(57)【要約】音響機器の端子に差し込まれるジャック２から使用者に音響を伝達するホン８の下端部までの線３の内部に細くて柔軟性の良い針金４を入れ、その両端を前記線３の外に突出させた後、短絡防止のためのプラスチック６で被覆したことを特徴とする線固定可能イヤーホンを提供することによって、イヤーホンの使用時には使用者の気分に合わせて余分の線部分をハート形や星形などに変形し、また、長期間使用しない場合にはカセットレコーダに巻いて置くだけで、形態変形や短絡のおそれなく簡便に管理でき、また、一時的に使用しない場合にはホンをフック形態に変形させてポケットなどに固定させることができるので、使用者により向上された便宜を提供するとともに、イヤーホンの寿命も延長することができる。
2004522341.tif 000002
【特許請求の範囲】
【請求項１】
音響機器の端子に差し込まれるジャック２から使用者に音響を伝達するホン８の下端部までの線３の内部に細くて柔軟性の良い針金４を入れ、その両端を前記線３の外に突出させた後、短絡防止のためのプラスチック６で被覆したことを特徴とする線固定可能イヤーホン。
【請求項２】
前記針金の代りに合金を使用することを特徴とする請求項１記載の線固定可能イヤーホン。
【請求項３】
針金の代りにプラスチックを使用することを特徴とする請求項１記載の線固定可能イヤーホン。
【発明の詳細な説明】
【技術分野】
【０００１】
本発明は、オーディオやカセットレコーダなどといった音響機器に使用されるイヤーホンに関し、さらに詳細には、イヤーホンの線に細くて柔軟性の良い針金を入れ線を固定することから線の絡みを防止し、特に使用者の所望に応じて線の形態が自由に変えられるようにしたイヤーホンに関する。
【背景技術】
【０００２】
一般に、イヤーホンは、各種の音響機器や音声送受信装置に連結されて音楽または各種音声情報を聞き取れるようにする機器であって、既存に使用されたヘッドホンに比べて小型である利点から、携帯用カセットレコーダやハンズフリーホンの音声受信用に多く使用されている。
【０００３】
このようにイヤーホンは携帯用製品に多く使用されているため、その構造が簡単ながらも使い勝手を上げる方向に開発されてきている。
【０００４】
かかるイヤーホンの従来の構造を図１に示す。図１に示すように、イヤーホン１０１を音響機器の端子に連結させるためにイヤーホン１０１の一側先端にジャック１０２が取り付けられ、前記ジャック１０２の後端には線１０３が連結され、それが２本に分岐される部位には分岐された電線１０３の長さを調節できるように連結部材１０５がスライディング可能に設けられており、分岐された線の先端にそれぞれのホン１０４が取り付けられている。
【０００５】
したがって、使用者が前記イヤーホン１０１を使って携帯用カーセットレコーダの音楽を聞く場合には、まず、前記ジャック１０２を携帯用カーセットレコーダの端子に差し込んだ後、前記分岐された線１０３の左右にそれぞれ取り付けられたホン１０４を耳に差した状態で使用するといい。
【０００６】
しかし、前述したようなイヤーホン１０１は、左右のホン１０４を連結する線１０３が使用や保管の時よく絡まってしまうために取り扱いが不便であり、且つ、絡まりあった線１０３を解くとき短絡されてしまい故障につながることもあった。また、使用中のイヤーホン１０１の左右ホン１０４を固定したり、保管できる適当な手段がなかったため、使用しないときイヤーホン１０１の保管に悩みがあった。
【発明の開示】
【発明が解決しようとする課題】
【０００７】
したがって、本発明は、上記の諸問題を解消するためになされたものであり、イヤーホンを使用しない場合には線をカセットレコーダに巻いておくだけでその形態を維持しイヤーホン線の絡みを防止でき、また、左右ホン周囲の線をフック形態に変形させてホンを服のような特定部位に一時固定可能にすることによって使い勝手を向上させた、線固定可能なイヤーホンを提供することにその目的がある。
【課題を解決するための手段】
【０００８】
上記の目的を達成するために、本発明は、イヤーホンの線内に細くて柔軟性の良い針金を入れ、線の変形を自由にすると同時に、その形態が維持されるようにする。
【０００９】
また、前記針金の両端部分を線の外へ突出させ、その端部を短絡防止用プラスチックで被覆することによって電線の短絡を防止するようにする。
【発明の効果】
【００１０】
本発明によるイヤーホンは、針金が塑性変形された形態を維持するので、使用者の所望とおりに線を変形・維持させることができ、例えば、使用中には、使用者の気持ちや服に合わせて余分の線部分を三角形、ハート形、星形などに変形させて視覚的効果を得ることができ、一時的に使用しない場合にはホン周囲の線をフック形態に変形させてポケットやカバンの紐などに固定させておくことができるし、また、長時間使用しない場合には、カセットレコーダに巻いておくだけでその形態が維持されるので、線の絡みが防止でき、電線短絡の危険も低減させ、結果として、使用者により向上された便宜を提供するとともに、イヤーホンの寿命も延長することができる。
【発明を実施するための最良の形態】
【００１１】
以下、本発明を添付図面を参照しつつ詳細に説明する。
【００１２】
図２は、本発明によって線の絡み防止手段が設けられたイヤーホンを示す部分拡大断面図であり、図３は、本発明によってイヤーホンの余分の線部分をハート形状に変形した状態を示す図であり、図４は、本発明によるイヤーホンのホン周囲の線をフック形態に変形してポケットに固定させた状態を示す図である。図中、本発明のイヤーホン８は、音響機器などに連結されるジャック２と、使用者が耳に差して使用するホン８を有し、前記ホン８の下端からジャック２までの電線５の内部には細くて柔軟性の良い針金４が入っており、針金４の両端は電線の保護のために線外に突出された後、短絡防止用プラスチック６で被覆された構造となっている。
【００１３】
このように挿入される針金の塑性変形能力により前記イヤーホン１は容易に曲がると同時に、その形態を維持できるので、イヤーホン１の線の絡みが防止され、線を使用者の所望の形状に変形することができる。
【００１４】
例えば、図３および図４に示すように、イヤーホンの余分の線部分をハート形、星形などに変形させることができ、イヤーホン１のホン５周囲の線をフック形態に変形させて服のポケットなどに固定させることができる。
【００１５】
一方、本発明による線固定可能なイヤーホン１は、図２に例示したステレオ型イヤーホン１だけでなく、一本の線で製作されたモノ型イヤーホンにも適用可能であり、また、車両に設置されるハンズフリー型イヤーホン及び各種産業用イヤーホンにも使用され、使用者に使い勝手のよさを提供することができることは言うまでもない。
【図面の簡単な説明】
【００１６】
【図１】従来の技術に係るイヤーホンを示す斜視図。
【図２】本発明に係る線固定可能イヤーホンの部分拡大断面図。
【図３】本発明によってイヤーホンがハート形に固定された状態を示す図。
【図４】本発明に係るイヤーホンの左右ホン部分をフック形態に変形して使用者の服に固定させた状態を示す図。
【符号の説明】
【００１７】
１  イヤーホン
２  ジャック
３  電線被服
４  柔軟性のいい針金
５  電線
６  短絡防止用プラスチック
７  連結部材
８  ホン
【国際公開パンフレット】
2004522341.tif 000003
2004522341.tif 000004
2004522341.tif 000005
2004522341.tif 000006
2004522341.tif 000007
2004522341.tif 000008
2004522341.tif 000009
2004522341.tif 000010
2004522341.tif 000011
2004522341.tif 000012
2004522341.tif 000013
2004522341.tif 000014
【国際調査報告】
2004522341.tif 000015